(57)【要約】【課題】  本発明は耐久性に優れ、長期間の使用に耐えるとともに、地震等の目地部が広くなったり、狭くなったりする揺れ動きを吸収して、浸入した雨水を一方の端部へ排水することができる金属材製の防水シートを備える目地装置を得るにある。【解決手段】  左右の建物の外部廊下の床目地部を覆うように左右の外部廊下の躯体に取付けられた床目地装置本体と、この床目地装置本体の下部位置の左右の外部廊下の目地部側躯体に固定された目地部側に開口部が位置するＣ字状の軸受部を有する左右の取付け金具と、この左右の取付け金具の軸受部に回動可能でかつ軸心方向にスライド可能に取付けられる軸が両側部に形成された目地部の幅寸法のほぼ２倍の幅寸法で一端部の幅寸法よりも他端部の幅寸法が大きい金属材製の防水シートと、この防水シートの幅寸法の大きい他端部から排出される雨水等を受ける左右の外部廊下の目地部側躯体のいずれか一方に取付けられた排水樋とで目地装置を構成している。【選択図】  図３
2006214198.tif 000002
【特許請求の範囲】
【請求項１】
目地部を介して設けられた左右の建物の外部廊下の床目地部を覆うように、該左右の外部廊下の躯体に取付けられた床目地装置本体と、この床目地装置本体の下部位置の、前記左右の外部廊下の目地部側躯体に固定された目地部側に開口部が位置するＣ字状の軸受部を有する左右の取付け金具と、この左右の取付け金具の軸受部に回動可能でかつ軸心方向にスライド可能に取付けられる軸が両側部に形成された、前記目地部の幅寸法のほぼ２倍の幅寸法で、一端部の幅寸法よりも他端部の幅寸法が大きい金属材製の防水シートと、この防水シートの幅寸法の大きい他端部から排出される雨水等を受ける、前記左右の外部廊下の目地部側躯体のいずれか一方に取付けられた排水樋とからなることを特徴とする目地装置。
【請求項２】
目地部を介して設けられた左右の建物の外部廊下の床目地部を覆うように、該左右の外部廊下の躯体に取付けられた床目地装置本体と、この床目地装置本体の下部位置の、前記左右の外部廊下の目地部側躯体に一端部より他端部が下部に位置するように固定された、目地部側に開口部が位置するＣ字状の軸受部を有する左右の取付け金具と、この左右の取付け金具の軸受部に回動可能でかつ軸心方向にスライド可能に取付けられる軸が両側部に形成された、前記目地部の幅寸法のほぼ２倍で、両端部の幅寸法がほぼ同じ寸法の金属材製の防水シートと、この防水シートの一端部よりも下部に位置する他端部から排出される雨水等を受ける、前記左右の外部廊下の目地部側躯体のいずれか一方に取付けられた排水樋とからなることを特徴とする目地装置。
【発明の詳細な説明】
【技術分野】
【０００１】
本発明は目地部を介して設けられた左右の建物の外部廊下の床目地部を覆う目地装置に関する。
【背景技術】
【０００２】
従来の左右の建物の外部廊下の床目地部に浸入する雨水等を受けるために、ゴム等の防水シートを左右の外部廊下の目地部側躯体に固定的に取付けている。
【０００３】
このため、ゴム等の防水シートを用いているので劣化しやすく、長期間使用することができないという欠点があるとともに、いずれか一方の端部へ浸入した水を排水することが難しく、両端部に排水樋を設置しなければならないという欠点があった。
【特許文献１】特になし
【発明の開示】
【発明が解決しようとする課題】
【０００４】
本発明は以上のような従来の欠点に鑑み、耐久性に優れ、長期間の使用に耐えるとともに、地震等の目地部が広くなったり、狭くなったりする揺れ動きを吸収して、浸入した雨水を一方の端部へ排水することができる金属材製の防水シートを備える目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の外部廊下の床目地部を覆うように、該左右の外部廊下の躯体に取付けられた床目地装置本体と、この床目地装置本体の下部位置の、前記左右の外部廊下の目地部側躯体に固定された目地部側に開口部が位置するＣ字状の軸受部を有する左右の取付け金具と、この左右の取付け金具の軸受部に回動可能でかつ軸心方向にスライド可能に取付けられる軸が両側部に形成された、前記目地部の幅寸法のほぼ２倍の幅寸法で、一端部の幅寸法よりも他端部の幅寸法が大きい金属材製の防水シートと、この防水シートの幅寸法の大きい他端部から排出される雨水等を受ける、前記左右の外部廊下の目地部側躯体のいずれか一方に取付けられた排水樋とで目地装置を構成している。
【発明の効果】
【０００７】
以上の説明から明らかなように、本発明にあっては次に列挙する効果が得られる。
【０００８】
（１）目地部を介して設けられた左右の建物の外部廊下の床目地部を覆うように、該左右の外部廊下の躯体に取付けられた床目地装置本体と、この床目地装置本体の下部位置の、前記左右の外部廊下の目地部側躯体に固定された目地部側に開口部が位置するＣ字状の軸受部を有する左右の取付け金具と、この左右の取付け金具の軸受部に回動可能でかつ軸心方向にスライド可能に取付けられる軸が両側部に形成された、前記目地部の幅寸法のほぼ２倍の幅寸法で、一端部の幅寸法よりも他端部の幅寸法が大きい金属材製の防水シートと、この防水シートの幅寸法の大きい他端部から排出される雨水等を受ける、前記左右の外部廊下の目地部側躯体のいずれか一方に取付けられた排水樋とからなるので、長期間使用しても防水シートが劣化することなく使用することができる。
【０００９】
（２）前記（１）によって、左右の建物が地震等で揺れ動き、目地部が狭くなったり、広くなったりしても、防水シートの両側部の軸が左右の取付け金具のＣ字状の軸受部で回動及び軸心方向にスライド移動してして、その揺れ動きを吸収することができる。
したがって、防水シートの軸近傍に荷重が加わるのを阻止できるため、該部位の損傷を効率よく防止できる。
【００１０】
（３）前記（１）によって、防水シートの一端部の幅寸法よりも他端部の幅寸法が大きいものを使用しているので、幅寸法が大きい他端部側へ浸入した雨水を排水することができる。
したがって、排水樋を他端部側にだけ設置することができ、コストの低減を図ることができるとともに、雨水等が防水シートにたまった状態になるのを防止して、防水シートの損傷を効率よく防止することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は目地部２を介して設けられた左右の建物３、３の左右の外部廊下４、４の床目地部２を覆う目地装置で、この目地装置１は前記左右の外部廊下４、４の目地部側床躯体４ａ、４ａ間を伸縮可能に覆う床目地装置本体５と、この床目地装置本体５の下部位置の、前記左右の外部廊下４、４の目地部側床躯体４ａ、４ａに固定された目地部側に開口部６、６が位置するＣ字状の軸受部７、７を有する左右の取付け金具８、８と、この左右の取付け金具８、８の軸受部７、７に回動可能でかつ軸心方向にスライド可能に取付けられる軸９、９が両端部に形成された、前記目地部２の幅寸法Ｌのほぼ２倍の幅寸法で、一端部の幅寸法よりも他端部の幅寸法が大きく、Ｕ
字状に配置される、図４に示すように金属材製の防水シート１０と、この防水シート１０の幅寸法の大きい他端部から排出される雨水等を受ける前記左右の外部廊下４、４の目地部側床躯体４ａ、４ａのいずれか一方に取付けられた排水樋１１とで構成されている。
【００１４】
前記床目地装置本体５は図１ないし図３に示すように、前記左右の外部廊下４、４の目地部側床躯体４ａ、４ａの上部角部に形成された凹部１２、１２に固定された目地部側に排水孔１３が形成されたチャンネル状の支持金具１４、１４と、この支持金具１４、１４に両端部寄りの部位が支持された、前記床目地部２を覆う目地プレート１５と、この目地プレート１５の両端部をスライド移動可能に覆うように、前記支持金具１４、１４に取付けられたカバープレート１６、１６とで構成されている。
【００１５】
前記左右の取付け金具８、８は図５に示すように、Ｌ字状の取付け金具本体１７と、この取付け金具本体１７の上端部を上方へ突出するように一体形成された、前記左右の外部廊下４、４の目地部側床躯体４ａ、４ａに形成された取付け金具
取付け凹部１８、１８に複数本のビス１９等によって取付けられる取付片２０と、前記取付け金具本体１７の下端部に一体形成された開口部６が、前記床目地部２側に位置するＣ字状の軸受部７とで構成されている。
【００１６】
前記排水樋１１は図６に示すように、前記左右の外部廊下４、４の目地部側床躯体４ａ、４ａのいずれか一方に取付けられた配水管２１と、この配水管２１に前記防水シート１０の最下部に位置する部位より排出される雨水等を受けられるように取付けられた樋２２とで構成されている。
【００１７】
上記構成の目地装置１は地震等で左右の建物３、３が異なる左右方向に揺れ動いた場合には、図７および図８に示すように床目地装置本体５の目地プレート１５の両端部が支持金具１４、１４上をスライド移動して、その揺れ動きを吸収するとともに、防水シート１０の両端部の軸９、９が左右の取付け金具８、８の軸受部７、７を回動して、該防水シート１０を損傷させるような加重を与えることなく、伸縮してその揺れ動きを吸収する。
また、左右の外部廊下４、４へ浸入した雨水等は床目地装置本体５部分より目地部２へ排水されるが、左右の取付け金具８、８および防水シート１０で、該防水シート１０上に受けるとともに、防水シート１０で受け止められた雨水等は下部が低い他端部側へ流れて、排水樋１１ヘ排水することができる。
[発明を実施するための異なる形態]
【００１８】
次に、図９ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、防水シート１０のほぼ中央部を中央枢支部２３、２３に取付け、ほぼＷ字状となるように配置することができる、少なくとも２個以上の四角枠が２個形成されたリンク２４と、このリンク２４の両端部の枢支部２５、２５に取付具２６、２６が取付けられたパンタグラフ状の防水シート支持リンク２７、２７を用いた点で、このように構成した目地装置１Ａにしても、前記本発明を実施するための最良の第１の形態と同様な作用効果が得られるとともに、防水シート１０が防水シート支持リンク２７、２７によって下方へ大きく垂れ下がるのを防止して、コンパクトに収納することができる。
【００２０】
図１２ないし図１４に示す本発明を実施するための第３の形態において、前記本発明を実施するための第２の形態と主に異なる点は、両端部の上部が傾斜面２８、２８に形成され、かつ一方の目地部側の外部廊下４の床躯体４ａに固定された目地プレート１５Ａで床目地部２を覆った床目地装置本体５Ａと、左右の取付け金具８、８を一端部より他端部が下方に位置するように取付け、一端部と他端部とが同じ幅寸法の防水シート１０Ａを用いた点で、このように構成した目地装置１Ｂにしても、前記本発明を実施するための第２の形態と同様な作用効果が得られる。
【００２１】
図１５ないし図１７に示す本発明を実施するための第４の形態において、前記本発明を実施するための第３の形態と主に異なる点は、防水シート１０Ａのほぼ中央部に取付け金具２９を固定するとともに、この取付け金具２９と目地プレート１５Ａのほぼ中央部とを少なくとも２箇所以上で、ワイヤーやロープ等の紐３０、３０で支持して、防水シート１０ＡをＷ字状に支持した点で、このように構成した目地装置１Ｃにしても、前記本発明を実施するための第３の形態と同様な作用効果が得られる。
【産業上の利用可能性】
【００２２】
本発明は目地装置を製造する産業で利用される。
【図面の簡単な説明】
【００２３】
【図１】本発明を実施するための最良の第１の形態の正面図。
【図２】図１の２−２線に沿う断面図。
【図３】図２の３−３線に沿う断面図。
【図４】本発明を実施するための最良の第１の形態の防水シートの説明図。
【図５】本発明を実施するための最良の第１の形態の左右の取付け金具の説明図。
【図６】本発明を実施するための最良の第１の形態の排水樋の説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための第２の形態の平面図。
【図１０】図９の１０−１０線に沿う断面図。
【図１１】本発明を実施するための第２の形態の目地プレートを外した状態の平面図。
【図１２】本発明を実施するための第３の形態の平面図。
【図１３】図１２の１３−１３線に沿う断面図。
【図１４】図１２の１４−１４線に沿う断面図。
【図１５】本発明を実施するための第４の形態の平面図。
【図１６】図１５の１６−１６線に沿う断面図。
【図１７】図１５の１７−１７線に沿う断面図。
【符号の説明】
【００２４】
１、１Ａ、１Ｂ、１Ｃ：目地装置、
２：目地部、                                                ３：建物、
４：外部廊下、                                  ５、５Ａ：床目地装置本体、
６：開口部、                                      ７：軸受部、
８：取付け金具、                              ９：軸、
１０、１０Ａ：防水シート、          １１：排水樋、
１２：凹部、                                      １３：排水孔、
１４：支持金具、                              １５、１５Ａ：目地プレート、
１６：カバープレート、                  １７：取付け金具本体、
１８：取付け金具取付け凹部、      １９：ビス、
２０：取付片、                                  ２１：配水管、
２２：樋、                                          ２３：中央枢支部、
２４：リンク、                                  ２５：枢支部、
２６：取付具、                                  ２７：防水シート支持リンク、
２８：傾斜面、                                  ２９：取付け金具、
３０：紐。
【図１】
2006214198.tif 000003
【図２】
2006214198.tif 000004
【図３】
2006214198.tif 000005
【図４】
2006214198.tif 000006
【図５】
2006214198.tif 000007
【図６】
2006214198.tif 000008
【図７】
2006214198.tif 000009
【図８】
2006214198.tif 000010
【図９】
2006214198.tif 000011
【図１０】
2006214198.tif 000012
【図１１】
2006214198.tif 000013
【図１２】
2006214198.tif 000014
【図１３】
2006214198.tif 000015
【図１４】
2006214198.tif 000016
【図１５】
2006214198.tif 000017
【図１６】
2006214198.tif 000018
【図１７】
2006214198.tif 000019